(57)【要約】【課題】  倉庫内に保管した使用済遊技機の位置を表示できず、人が倉庫内の使用済遊技機を容易に確認できない。【解決手段】  遊技機製造会社が遊技店から回収した使用済遊技機１３を倉庫２０に保管しかつこの保管場所１４に場所表示器３を置くとともにこの場所表示器３の識別情報をコンピュータ１に入力し、コンピュータ１がコンピュータ１の入力機器４から上記保管場所１４に置かれた場所表示器３を探す指示を受けることによって、コンピュータ１が上記識別情報を場所指示器２に出力し、場所指示器２がコンピュータ１から受けた識別情報を無線通信によって倉庫２０内に発信し、この発信された識別情報を受信した場所表示器３が自分の居場所を表示する。【選択図】図１
2006168976.tif 000002
【特許請求の範囲】
【請求項１】
遊技機製造会社が遊技店から回収した使用済遊技機を倉庫に保管しかつこの保管場所に場所表示器を置くとともにこの場所表示器の識別情報をコンピュータに入力し、コンピュータがコンピュータの入力機器から上記保管場所に置かれた場所表示器を探す指示を受けることによって、コンピュータが上記識別情報を場所指示器に出力し、場所指示器がコンピュータから受けた識別情報を無線通信によって倉庫内に発信し、この発信された識別情報を受信した場所表示器が自分の居場所を表示することを特徴とする使用済遊技機の集荷管理方法。
【請求項２】
遊技店から回収されて倉庫に保管された使用済遊技機の保管場所に置かれた場所表示器と、場所表示器の識別情報を入力するコンピュータと、コンピュータから場所表示器の識別情報を受けて当該識別情報を無線通信によって倉庫内に発信する場所指示器とを備え、場所表示器が場所指示器からの識別情報を受信して自分の居場所を表示することを特徴とする使用済遊技機の集荷管理装置。
【発明の詳細な説明】
【技術分野】
【０００１】
本発明は、遊技店から回収されて倉庫内に保管される使用済遊技機を確認容易な使用済遊技機の集荷管理方法及び集荷管理装置に関するものである。
【背景技術】
【０００２】
資料管理サーバーと、外部端末と、ラベル装置と、非接触ＩＣタグを取り付けた資料とからなる資料管理システムが知られている。ラベル装置は、ラベル装置管理番号と資料に取り付けた非接触ＩＣタグの識別子とを対応付けたデータテーブルを備える。外部端末は、ラベル装置に信号を送るとともにラベル装置からの情報を受信する。ラベル装置は、資料の非接触ＩＣタグより識別子を検出して入力し、データテーブルに登録されている識別子が１以上入力されなかった場合には不足警報を表示するとともに不足警報を外部端末に送信し、データテーブルに登録されている識別子以外の識別子が１以上入力された場合には過剰警報を表示するとともに過剰警報を外部端末に送信する。しかし、このシステムは、ラベル装置が、資料の非接触ＩＣタグより識別子を検出して入力し、入力した識別子とデータテーブルに登録されている識別子とがすべて一致した場合には、不足警報も過剰警報も表示しないため、ラベル装置及び資料の位置を表示できない。すなわち、このシステムは、資料の位置を表示するためのシステムではないので、遊技店から排出されて倉庫内に保管されるパチンコ機、スロットマシンなどの使用済遊技機の位置を確認するための装置として上記システムを用いた場合には、倉庫内に保管された使用済遊技機の位置を表示できず、人による倉庫内の使用済遊技機の確認作業を容易にできない。
【特許文献１】特開２００３−２０６００７号公報
【発明の開示】
【発明が解決しようとする課題】
【０００３】
発明が解決しようとする問題点は、倉庫内に保管した使用済遊技機の位置を表示できず、人が倉庫内の使用済遊技機を容易に確認できないという点である。
【課題を解決するための手段】
【０００４】
本発明に係る使用済遊技機の集荷管理方法は、遊技機製造会社が遊技店から回収した使用済遊技機を倉庫に保管しかつこの保管場所に場所表示器を置くとともにこの場所表示器の識別情報をコンピュータに入力し、コンピュータがコンピュータの入力機器から上記保管場所に置かれた場所表示器を探す指示を受けることによって、コンピュータが上記識別情報を場所指示器に出力し、場所指示器がコンピュータから受けた識別情報を無線通信によって倉庫内に発信し、この発信された識別情報を受信した場所表示器が自分の居場所を表示することを特徴とする。本発明に係る使用済遊技機の集荷管理装置は、遊技店から回収されて倉庫に保管された使用済遊技機の保管場所に置かれた場所表示器と、場所表示器の識別情報を入力するコンピュータと、コンピュータから場所表示器の識別情報を受けて当該識別情報を無線通信によって倉庫内に発信する場所指示器とを備え、場所表示器が場所指示器からの識別情報を受信して自分の居場所を表示することを特徴とする。
【発明の効果】
【０００５】
本発明によれば、場所指示器が識別情報を無線で倉庫内に発信すると、使用済遊技機の保管場所に置かれた場所表示器が上記識別情報を受けて自分の居場所を表示するので、人がその表示を確認することで倉庫内の使用済遊技機を容易に探し出すことができる。
【発明を実施するための最良の形態】
【０００６】
図１；２は本発明の最良の形態であって、図１の（ａ）は使用済遊技機の集荷管理装置を示し、図１の（ｂ）は場所表示器を示し、図２は使用済遊技機の回収の流れを示す。
【０００７】
図１を参照し、使用済遊技機の集荷管理装置を説明する。図１（ａ）に示すように、集荷管理装置は、コンピュータ１と場所指示器２と多数の場所表示器３；３・・・とで構成される。コンピュータ１には、キーボードやマイクやスキャナなどの入力機器４、表示器やスピーカーやプリンタなどの出力機器５、記憶装置６が接続される。図１（ｂ）に示すように、場所表示器３はベース７とベース７の上に設けられた筐体８と筐体８内に設けられた図外の制御装置、記憶装置、送受信部、電源部を備えた回路部と筐体８の外面に設けられた表示器としての表示ランプ９及びスピーカー１０、アンテナ１１、電源スイッチ操作部１２を備える。場所指示器２は、図外のアンテナ、制御装置、記憶装置、送受信部、電源部を備える。場所表示器３は倉庫２０に保管される使用済遊技機１３の傍、即ち、使用済遊技機１３の保管場所１４に置かれる。保管場所１４は、使用済遊技機１３の保管された場所の近傍に設けられた図外の棚や保管された使用済遊技機１３の上面などである。
【０００８】
図２を参照し、使用済遊技機１３の回収方法について説明する。遊技機製造会社２１は遊技店２２と使用済遊技機１３の買取契約を交わし、契約した使用済遊技機１３を回収する。使用済遊技機１３は、図外のパチンコ機の遊技盤または遊技盤を含む遊技機枠、スロットマシンなどである。買取契約の内容は遊技機製造会社２１に送付される。買取契約の内容は、契約年月日、契約番号、契約遊技店名、遊技機の機種名などである。買取契約の内容は人が倉庫２０内または倉庫２０の近くに設置されたコンピュータ１の入力機器４を操作してコンピュータ１の記憶装置６に記憶させる。つまり、人が紙の買取契約書の内容をコンピュータ１に入力してコンピュータ１の記憶装置６に記憶させたり、遊技店あるいは遊技機製造会社からインターネットにより送信されてくる買取契約の内容を人の操作でコンピュータ１の記憶装置６に記憶させる。倉庫２０は遊技機製造会社２１の倉庫あるいは遊技機製造会社２１が指定する倉庫である。倉庫２０の人は、遊技店２２から搬出されて倉庫２０に搬入された使用済遊技機１３の内容が、買取契約の内容と一致しているかどうかを確認する検収作業を行う。倉庫２０に搬入された使用済遊技機１３の内容と買取契約の内容とが一致している場合には、遊技機製造会社２１は、契約をしたリサイクル業者２３に、倉庫２０に保管した使用済遊技機１３の解体を、新品遊技機の製造計画に基づき委託する。リサイクル業者２３は、倉庫２０から運搬してきた使用済遊技機１３を解体した後、解体した部品の洗浄や機能検査を行って、その解体した部品のうちの再使用可能部品２４を遊技機製造会社２１に送り、その解体した部品のうちの再使用不可能部品２５を循環生産業者２６に送る。循環生産業者２６は、リサイクル業者２３から送られてきた遊技機枠や遊技盤などの再使用不可能部品２５を取り付けたままの使用済遊技機１３を乾燥した後に破砕し、その破砕片を圧縮することにより、その圧縮工程で発生する熱で破砕片中の熱可塑性合成樹脂を軟化させるとともに破砕片の容積を圧縮して塊状の減容固化体を形成し、その減容固化体をロータリーキルンに投入して燃焼し、その燃焼灰をロータリーキルンで消石灰、酸化鉄、粘土などの主原料と一緒にセメントクリンカーとして焼き締めることで、セメントを生成する。
【０００９】
上記検収作業で、遊技店２２から搬出されて倉庫２０に搬入された使用済遊技機１３の内容と買取契約の内容とが一致しない場合がある。例えば、搬入された使用済遊技機１３が買取契約の契約台数に満たない場合、契約機種が異なる場合などのように、欠品がある場合である。欠品がある場合は、欠品が到着するまで、その搬入された使用済遊技機１３は欠品待ちとして倉庫２０内に保管される。この際、倉庫２０の人は、その搬入された使用済遊技機１３の買取契約内容のデータに欠品情報と識別情報とを付してコンピュータ１の記憶装置６に記憶させるとともにその識別情報を場所表示器３の図外の記憶装置に記憶させる。そして、その識別情報を記憶させた場所表示器３を、倉庫２０内に保管された欠品待ちの使用済遊技機１３の保管場所１４に置いておく。欠品が到着した場合に、人が、コンピュータ１を操作して欠品に対応する買取契約内容及び欠品情報と識別情報とを出力機器５に出力して確認するとともに、コンピュータ１の図外の出力端子に場所指示器２を接続する。その後、人が、コンピュータ１の入力機器４から上記保管場所１４に置かれた場所表示器３を探す指示を入力する。この指示をコンピュータ１が受けることで、コンピュータ１が、出力端子に接続された場所指示器２に、到着した欠品を待っていた欠品待ちの使用済遊技機１３の保管場所１４に置かれた場所表示器３の識別情報を出力し、場所指示器２がその場所表示器３の識別情報を場所指示器２の図外の記憶装置に記憶させる。そして、場所指示器２の記憶装置に記憶された場所表示器３の識別情報を場所指示器２を作動させて無線通信で倉庫２０内に発信することで、この識別情報を受けた場所表示器３の制御装置が、場所表示器３の記憶装置に記憶していた自分の識別情報と場所指示器２から受けた識別情報とを比較して一致を検出した場合に、表示ランプ９を点灯したり、スピーカー１０より音を出力する。よって、人が、表示ランプ９の灯りやスピーカー１０からの音の出所を見つけることで到着した欠品に対応する欠品待ちの使用済遊技機１３の保管場所１４を容易に探し出すことができる。
【産業上の利用可能性】
【００１０】
上記では欠品待ちの使用済遊技機１３の保管場所１４を表示する場合について説明したが、遊技店２２から搬出されて倉庫２０に搬入された使用済遊技機１３の内容と買取契約の内容とが一致した場合においてリサイクル業者２３が回収しにくるまでその搬入された使用済遊技機１３を倉庫２０内に保管する場合においてもその保管場所１４に場所表示器３を置いておけば、その使用済遊技機１３をリサイクル業者が回収しに来た場合においてリサイクル業者のために回収対象の使用済遊技機１３の保管場所１４を容易に探し出すことができ、回収対象の使用済遊技機１３を容易に確認できるようになる。
【図面の簡単な説明】
【００１１】
【図１】（ａ）は使用済遊技機の集荷管理装置を示すブロック図、（ｂ）は場所表示器を示す斜視図（最良の形態）。
【図２】使用済遊技機の回収の流れを示す図（最良の形態）。
【符号の説明】
【００１２】
１  コンピュータ、２  場所指示器、３  場所表示機、４  入力機器、
１３  使用済遊技機、１４  保管場所、２０  倉庫、２１  遊技機製造会社、
２２  遊技店。
【図１】
2006168976.tif 000003
【図２】
2006168976.tif 000004